(57)【特許請求の範囲】
【請求項１】
内面に蛍光体が塗布されたガラス管を有する蛍光ランプに被せられる蛍光ランプの照明光操作体であって、光のスペクトル分布を変化させる添加物を添加された光透過性を有するゴム弾性体であるシリコーンゴムからなり、自由な状態における内径を蛍光ランプの外径よりも若干小さくし、該蛍光ランプに該蛍光ランプとの間に空気層が生じないように密着して、繰り返し脱着可能に被せられ、該蛍光ランプから入射する光のスペクトル分布を変化させて特定波長領域の光を射出する光変換層を形成することを特徴とする蛍光ランプの照明光操作体。
【請求項２】
前記シリコーンゴムは着色剤を添加されている請求項１記載の蛍光ランプの照明光操作体。
【請求項３】
前記シリコーンゴムは紫外線吸収材を添加されている請求項１または２記載の蛍光ランプの照明光操作体。
【請求項４】
内面に蛍光体が塗布されたガラス管を有する蛍光ランプに被せられる蛍光ランプの照明光操作体であって、光透過性を有するゴム弾性体であるシリコーンゴムからなり、自由な状態における内径を蛍光ランプの外径よりも若干小さくし、該蛍光ランプに該蛍光ランプとの間に空気層が生じないように密着して、繰り返し脱着可能に被せられ、該蛍光ランプから入射する光を減衰して射出する光減衰層を形成することを特徴とする蛍光ランプの照明光操作体。
【請求項５】
内面に蛍光体が塗布されたガラス管を有する蛍光ランプに被せられる蛍光ランプの照明光操作体であって、りん光を発する蛍光体を添加された光透過性を有するゴム弾性体であるシリコーンゴムからなり、自由な状態における内径を蛍光ランプの外径よりも若干小さくし、該蛍光ランプに該蛍光ランプとの間に空気層が生じないように密着して、繰り返し脱着可能に被せられ、該蛍光ランプから入射する光により励起されてりん光を発する残光層を形成することを特徴とする蛍光ランプの照明光操作体。
【請求項６】
３０〜９５％の光透過率を有する請求項１，２，３，４または５記載の蛍光ランプの照明光操作体。
【請求項７】
直管状の蛍光ランプに被せられる蛍光ランプの照明光操作体であって、チューブ状とされている請求項１，２，３，４，５または６記載の蛍光ランプの照明光操作体。
【請求項８】
長さ方向に１本の切れ目を設けられている請求項７記載の蛍光ランプの照明光操作体。
【請求項９】
切れ目の周囲の部分に厚肉部分を設けられている請求項８記載の蛍光ランプの照明光操作体。
【請求項１０】
開口を設けられた箱状とされている請求項１，２，３，４，５または６記載の蛍光ランプの照明光操作体。
【請求項１１】
釣り鐘状とされている請求項１，２，３，４，５または６記載の蛍光ランプの照明光操作体。
【発明の詳細な説明】
【０００１】
【発明の属する技術分野】
本発明は、蛍光ランプに被せられ、蛍光ランプから発せられる光を操作して外部へ射出する蛍光ランプの照明光操作体に関する。
【０００２】
【従来の技術】
周知の通り、蛍光ランプは、ガラス管内に蛍光体が塗布されており、電極から飛び出した電子が前記ガラス管内に封入された水銀蒸気の水銀原子と衝突して紫外線を発生し、その紫外線が前記蛍光体に当たって可視光に変換されることにより発光する構造となっている。そして、白色、昼光色、昼白色、温白色、電球色、赤色、青色、緑色等の種々の発光色の蛍光ランプが開発されており、用途や好みに応じて使い分けされているが、このような発光色のバリエーションは、前記蛍光体の種類を変えることにより実現されている。
【０００３】
また、最近、スイッチが切られたり、停電になっても、ある時間光り続ける残光型蛍光ランプも開発されているが、これもりん光を発する蛍光体をガラス管内に塗布することにより実現されている。
【０００４】
【発明が解決しようとする課題】
したがって、従来においては、次のような種々の問題があった。
【０００５】
（イ）発光色を変えるには蛍光体の種類を変える必要があるので、実現できる発光色の種類には限度がある、
（ロ）しかも、蛍光体の色合わせや色再現性のため、製造工程において様々な管理を行う必要があるので、手軽に様々な発光色を得ることは困難であるため、必ずしも用途に最適な種類の照明光を得ることができない、
（ハ）特殊な照明用途のものは、少量生産になるため、コストが高くなる、
（ニ）透光性を有する樹脂からなるカバーで蛍光ランプを覆うことにより、照明色を変化させることは可能であるが、その場合には、コストが高くなるとともにスペースを大きくとってしまう、
（ホ）紫外線が外部に出るため、この紫外線に誘われて虫が集まってしまったり、商品等の物品に紫外線焼けを生じさせたりするが、これを防止するには、紫外線コート等を特別に施す必要がある、
（ヘ）ガラス管が破損して飛散し、人を傷つけたり、物品を破損する虞がある。従来よりこのようなガラス管の破損・飛散を防止するため、熱収縮チューブをガラス管に被せた後、熱風等で加熱して収縮させることにより、該熱収縮チューブをガラス管に密着させることも行われているが、加熱等の手間が必要であり、かつ一度使用したチューブは再使用できない、
（ト）残光型の蛍光ランプの場合も、りん光を発する特殊な蛍光体をガラス管に塗布しなければならないため、コストが高くなる、
（チ）蛍光ランプが明るすぎる場合等においては、複雑な調光器等を用いて減光したり、樹脂製等の減光用カバーを用いて減光する必要があり、コストが高くなったり、スペースを大きくとってしまう、
本発明は、このような事情に鑑みてなされたもので、本発明の一つの目的は、蛍光ランプに被せられ、蛍光ランプから入射する光のスペクトル分布を変化させて特定波長領域の光を射出することにより、蛍光ランプの蛍光体の種類を変えることなく、所望の波長領域の照明光を得たり、紫外線を除去したりすることができる蛍光ランプの照明光操作体を提供することにある。
【０００６】
本発明の他の目的は、蛍光ランプに被せられ、蛍光ランプから入射する光を減衰させることにより、複雑な調光器を用いたり、樹脂製等の減光用カバーを用いることなく、照明光の光量を調整することができる蛍光ランプの照明光操作体を提供することにある。
【０００７】
本発明の他の目的は、蛍光ランプに被せられ、蛍光ランプから入射する光により励起されてりん光を発することにより、スイッチが切られたり、停電になって、蛍光ランプが消灯しても、ある時間、光り続ける蛍光ランプの照明光操作体を提供することにある。
【０００８】
本発明の他の目的は、蛍光ランプに対し着脱可能で、蛍光ランプに寿命が来ても、新しい蛍光ランプに装着し直すことにより、繰り返し使用できる蛍光ランプの照明光操作体を提供することにある。
【０００９】
本発明のさらに他の目的は、以下の説明から明らかになろう。
【００１０】
【課題を解決するための手段】
本発明による蛍光ランプの照明光操作体の一つは、内面に蛍光体が塗布されたガラス管を有する蛍光ランプに被せられる蛍光ランプの照明光操作体であって、光のスペクトル分布を変化させる添加物を添加された光透過性を有するゴム弾性体であるシリコーンゴムからなり、自由な状態における内径を蛍光ランプの外径よりも若干小さくし、該蛍光ランプに該蛍光ランプとの間に空気層が生じないように密着して、繰り返し脱着可能に被せられ、該蛍光ランプから入射する光のスペクトル分布を変化させて特定波長領域の光を射出する光変換層を形成するものである。このような照明光操作体は、例えば、前記シリコーンゴムに顔料、染料等の着色剤を添加したり、紫外線吸収材を添加することにより実現でき、これにより、蛍光ランプの蛍光体を変更することなく、所望の色の照明光を得たり、紫外線コート等を行うことなく、紫外線をカットしたりすることができる。
【００１１】
本発明による蛍光ランプの照明光操作体の他の一つは、内面に蛍光体が塗布されたガラス管を有する蛍光ランプに被せられる蛍光ランプの照明光操作体であって、光透過性を有するゴム弾性体であるシリコーンゴムからなり、自由な状態における内径を蛍光ランプの外径よりも若干小さくし、該蛍光ランプに該蛍光ランプとの間に空気層が生じないように密着して、繰り返し脱着可能に被せられ、該蛍光ランプから入射する光を減衰して射出する光減衰層を形成するものである。このような照明光操作体は、例えば、シリコーンゴムの厚み、基材の種類および充填材の配合を適当に選択することによって、シリコーンゴムの光透過率を適当に調整することにより実現できる。
【００１２】
本発明による蛍光ランプの照明光操作体の他の一つは、内面に蛍光体が塗布されたガラス管を有する蛍光ランプに被せられる蛍光ランプの照明光操作体であって、りん光を発する蛍光体を添加された光透過性を有するゴム弾性体であるシリコーンゴムからなり、自由な状態における内径を蛍光ランプの外径よりも若干小さくし、該蛍光ランプに該蛍光ランプとの間に空気層が生じないように密着して、繰り返し脱着可能に被せられ、該蛍光ランプから入射する光により励起されてりん光を発する残光層を形成するものである。したがって、スイッチが切られたり、停電になって、蛍光ランプが消灯しても、ある時間、光り続ける。
【００１３】
本発明におけるシリコーンゴムとしては、３０〜９５％の光透過率を有することが好ましい。
【００１４】
本発明の照明光変換体は、ゴム弾性を有するので、容易に、蛍光ランプに対し繰り返し脱着可能とすることができ、蛍光ランプに寿命が来ても、新しい蛍光ランプに装着し直すことによって繰り返し使用でき、コスト低減を図ることができる。
【００１５】
【発明の実施の形態】
以下、本発明を図面に示す実施例について説明する。
【００１６】
【実施例】
図１および２は、本発明の第一実施例を示し、照明光操作体１は光透過性を有するゴム弾性体からなり、チューブ状をなしており、直管状の蛍光ランプ２のガラス管２ａ全体に被されて層状をなすようになっている。なお、図２において２ｂはガラス管２ａの内面に塗布された蛍光体を示している。自由な状態における前記照明光操作体１の内径は、蛍光ランプ２の外径よりも若干小さくする。照明光操作体１と蛍光ランプ２との間に空気層が生じると、この空気層と照明光操作体１との界面となる照明光操作体１の内周面における表面反射によって光の損失が生じるので、自由な状態における照明光操作体１の内径を蛍光ランプ２の外径よりも若干小さくし、照明光操作体１を蛍光ランプ２に密着させた方が光の利用効率がよくなる。
【００１７】
なお、自由な状態における照明光操作体１の内径が蛍光ランプ２の外径よりも若干小さい場合は、ガラス管２ａの外面と照明光操作体１の内周面との間に水やアルコール等の液体を介在させれば、容易に被覆することができる。前記照明光操作体１は、３０〜９５％の光透過率を有することが好ましい。
【００１８】
前記照明光操作体１を構成するゴム弾性体としては、シリコーンゴムが使用できる。シリコーンゴムを用いて作成すれば、耐熱性、耐候性、耐紫外線に優れているので、蛍光ランプ２に密着させても蛍光ランプ２から発生する熱に長期間耐えることができるとともに、屋外使用にも長期間耐えることができ、しかも加工性がよいので、加工が容易になる。
【００１９】
前記のようなチューブ状の照明光操作体１は、例えば、被せるべき蛍光ランプ２の径に対応する長い連続したゴム弾性体のチューブを押し出し成型により作成し、該チューブを蛍光ランプ２の長さに合わせて切断すれば容易に作成することができる。ただし、本発明の照明光操作体１は、このような押し出し成型以外の方法によって作成してもよいことは言うまでもない。
【００２０】
照明光操作体１を被せられる蛍光ランプ２としては、家庭およびオフィス等の屋内一般照明用のもの、屋外照明用のもの、ショーケース等の商品照明用のもの、装飾照明（イルミネーション）用のもの、液晶バックライト用の小型のもの、電子複写機、ファクシミリ、スキャナ等の原稿照明用のもの、自動車のメータパネル用のもの、植物育成用のもの等の、あらゆる用途のものを対象とすることができる。また、蛍光ランプ２は、熱陰極型蛍光ランプであってもよいし、冷陰極型蛍光ランプであってもよい。
【００２１】
前記照明光操作体１を構成するゴム弾性体は、次に詳しく説明するように、用途に応じて、着色剤、紫外線吸収剤、蓄光顔料、蛍光顔料、その他の添加物を用途に応じて添加されたり、厚さを変えられたり、基材の種類および充填剤の配合を変えられる。
【００２２】
白熱電球の光のような暖色系の光は、自律神経系を活発にする作用があり、例えばそのうちの黄色光は人間をさわやかで陽気な気分にさせる一方、橙色光は生理作用を活発にして仕事をする意欲を高める作用があると言われている。また、この白熱電球の光のような暖色系の光は、食べ物をおいしそうに見せる作用もあると言われている。逆に、蛍光ランプの寒色系の光は、食べ物をまずそうに見せるとともに、自律神経系を働きを鈍らせ、その光に長時間当たっていると、イライライしたり、体調を悪くしたりする等の好ましくない作用があると言われている。
【００２３】
しかるに、前記照明光操作体１を構成するゴム弾性体に、黄色および橙色等の暖色系の顔料、染料等の着色剤を添加すれば、照明光操作体１に光変換層を形成させ、蛍光ランプ２からの入射光のスペクトル分布を変化させて暖色系の波長領域が多い光に変換して射出させることができる。これにより、蛍光ランプ２の蛍光体を変更することなく、暖色系の照明光を得ることができる。同様にして、適当な着色剤等を添加することにより、さわやかな朝日の光等の、その他の種々の周波数スペクトルの照明光を得ることも可能になる。
【００２４】
また、同様にして、装飾用照明、ショーケースの照明、室内照明、非常用照明、自動車のメータパネルの照明等として赤、青、緑、黄色等の特定の色の照明光を得たい場合には、前記照明光操作体１を構成するゴム弾性体に、赤、青、緑、黄色等の着色剤を添加することにより、蛍光ランプ２の蛍光体を変更することなく、容易に所望の色の照明光を得ることができる。
【００２５】
また、一般に昆虫の色覚は人間の色覚に比較して紫外線側、すなわち波長の短い側にずれており、赤を感じることができない一方、人間が見ることのできない紫外線をよく感じるので、屋外に設置される外灯、電話ボックス、自動販売機等の蛍光ランプには、それから発せられる紫外線に誘われて虫が集まりやすい。しかるに、前記照明光操作体１を構成するゴム弾性体に、黄色や赤色の着色剤を添加したり、紫外線吸収剤を添加すれば、紫外線コートを行うこなく、蛍光ランプ２から発せられる紫外線を照明光操作体１でカットして外部に出ないようにし、虫が集まらないようにすることができる。また、商品等の照明を行う蛍光ランプにおいても、同様にして紫外線をカットし、商品等の紫外線焼けを防止できる。
【００２６】
また、前記照明光操作体１を構成するゴム弾性体に、蓄光顔料や、蛍光顔料等のりん光を発する蛍光体を添加すれば、スイッチが切られたり、停電になって、蛍光ランプ２が消灯しても、ある時間、照明光操作体１がりん光を発して光り続けるため、非常時の安全確保や就寝時の補助灯代わりにもなる。
【００２７】
また、蛍光ランプ２が明るすぎる場合等においては、前記照明光操作体１を構成するゴム弾性体の厚み、基材の種類および充填剤の配合を適当に選択することによってゴム弾性体の光透過率を適当に調整することにより、蛍光ランプから入射する光を適当に減衰して射出させることができ、複雑な調光器等を用いなくても容易に蛍光ランプ２の光度を調整できる。
【００２８】
以上のように照明光操作体１は、適当な添加物を添加したり、ゴム弾性体の厚み、基材の種類および充填剤の配合を適当に選択することにより、前記のような種々の効果を得ることができるが、蛍光ランプ２自体は通常型のものを使用できるので、低コストとすることができる。しかも、本実施例においては、照明光操作体１がチューブ状をなしているので、ゴム弾性により該照明光操作体１を蛍光ランプ２に対し繰り返し脱着可能であるから、蛍光ランプ２に寿命が来ても、新しい蛍光ランプ２に装着し直すことによって繰り返し使用できるので、一層低コストとすることができる。
【００２９】
また、様々な状況において（特に、通路や狭い場所等で用いられる場合や、地震等の災害時等において）、蛍光ランプ２に物が当たったり、蛍光ランプ２が落下して、蛍光ランプ２のガラス管２ａが割れる虞があるが、ゴム弾性を有する照明光操作体１が蛍光ランプ２に被されていることにより、ガラス管２ａの破損防止・飛散防止がなされ、安全性も向上する。
【００３０】
図３〜５は、本発明の第二実施例を示し、照明光操作体１は全長に渡って長さ方向に１本の切れ目３を設けられている。他の構成は前記第一実施例と同様である。
【００３１】
本実施例においては、図４のように横断面Ｃ字状となるように切れ目３を開き、その間から照明光操作体１内に蛍光ランプ２を挿入することにより、照明器具に取りつけられた状態のまま、蛍光ランプ２に照明光操作体１を被せることができ、蛍光ランプ２への照明光操作体１の装着が非常に容易なる。また、環形の蛍光ランプ対しても照明光操作体１の装着が可能になる。
【００３２】
図６および７は、本発明の第三実施例を示し、照明光操作体１の切れ目３の周囲の部分に厚肉部分４が一体的に設けられている。他の構成は前記第二実施例と同様である。
【００３３】
本実施例においては、切れ目３の周囲の部分に厚肉部分４が設けられているので、照明光操作体１の切れ目３付近の好ましくない変形を防止することができる。なお、肉厚部分４の幅、厚み、形状は目的に応じて適宜定めることができ、形状は例えば角型形状等の、図示の形状以外の形状としてもよい。
【００３４】
図８〜１０は、パラレル形蛍光ランプ用の本発明の第四実施例を示し、照明光操作体５は箱形をなしており、その開口部５ａからパラレル形蛍光ランプ６を挿入されることにより、パラレル形蛍光ランプ６に被されるようになっている。他の構成は前記第一実施例と同様である。本実施例においても、前記第一実施例の場合同様に、ゴム弾性体に適当な添加物を添加したり、ゴム弾性体の厚み、基材の種類および充填剤の配合を適当に選択することにより、種々の効果を得ることができるとともに、蛍光ランプ６の破損防止・飛散防止を図ることができる。
【００３５】
図１１および１２は、電球形蛍光ランプ用の本発明の第五実施例を示し、照明光操作体７は釣り鐘状をなしており、その開口部７ａから電球形蛍光ランプ８を挿入されることにより、電球形蛍光ランプ８の外側ガラス壁８ａに被されるようになっている。本実施例においても、前記各実施例の場合と同様の効果を得ることができる。
【００３６】
なお、前記図８〜１２の第四実施例および第五実施例においては、照明光操作体５，７の開口５ａ，７ａの周囲に帯状に肉厚部分を設けることにより、照明光操作体５，７の好ましくない変形を防止して形状保持を図ることができる。
【００３７】
また、前記各実施例においては、蛍光ランプ２，６，８の全体に照明光操作体１，５，７を被せているが、本発明においては、蛍光ランプの一部にのみ照明光操作体を被せるようにしてもよい。
【００３８】
さらに、前記各実施例においては、照明光操作体１，５，７を被蛍光ランプ２，６，８に対し脱着可能としているが、本発明においては、蛍光ランプから取り外すことができないように照明光操作体を蛍光ランプに直接被覆してもよい。
【００３９】
【発明の効果】
以上のように本発明は、
（ａ）蛍光ランプの蛍光体を変更したり、樹脂製のカバー等を用いることなく、所望の色の照明光を得ることができる。したがって、低コストで、かつ余計なスペースをとることなく、種々の波長領域の照明光を容易に得ることが可能になる。
【００４０】
（ｂ）紫外線コート等を行うことなく、蛍光ランプから発せられる紫外線をカットすることができる。
【００４１】
（ｃ）複雑な調光器等を用いたり、樹脂製等の減光用カバーを用いることなく、照明ランプの光量を調整できる。
【００４２】
（ｄ）スイッチが切られたり、停電になって、蛍光ランプが消灯しても、ある時間、照明光操作体がりん光を発して光り続けるようにすることができ、低コストで残光型蛍光ランプと同様の効果を得ることができる。
【００４３】
（ｅ）蛍光ランプ破損・飛散を防止することができる。
【００４４】
（ｆ）ゴム弾性を有するので、容易に、蛍光ランプに対し繰り返し脱着可能とすることができ、そのようにすれば、蛍光ランプに寿命が来ても、新しい蛍光ランプに装着し直すことによって繰り返し使用できる。
等の優れた効果を得られるものである。
【図面の簡単な説明】
【図１】  本発明による蛍光ランプの照明光操作体の第一実施例を直管型蛍光ランプに被せた状態で示す正面図である。
【図２】  図１のＩＩ−ＩＩ線における拡大断面図である。
【図３】  本発明による蛍光ランプの照明光操作体の第二実施例を直管型蛍光ランプに被せた状態で示す正面図である。
【図４】  前記第二実施例の照明光操作体の切れ目を開いて蛍光ランプに被せる作業を示す拡大断面図である。
【図５】  図３のＶ−Ｖ線における拡大断面図である。
【図６】  本発明による蛍光ランプの照明光操作体の第三実施例を直管型蛍光ランプに被せた状態で示す正面図である。
【図７】  図６のＶＩＩ−ＶＩＩ線における拡大断面図である。
【図８】  本発明による蛍光ランプの照明光操作体の第四実施例をパラレル型蛍光ランプに被せた状態で示す正面図である。
【図９】  図８のＩＸ−ＩＸ線における断面図である。
【図１０】  前記第四実施例を示す平面図である。
【図１１】  本発明による蛍光ランプの照明光操作体の第五実施例を電球型蛍光ランプに被せた状態で示す正面図である。
【図１２】  図１１のＸＩＩ−ＸＩＩ線における断面図である。
【符号の説明】
１    照明光操作体
２    直管型蛍光ランプ
２ａ  ガラス管
３    切れ目
４    厚肉部分
５    照明光操作体
６    パラレル型蛍光ランプ
７    照明光操作体
８    電球型蛍光ランプ
【図１】
0004233127.tif 000002
【図２】
0004233127.tif 000003
【図３】
0004233127.tif 000004
【図４】
0004233127.tif 000005
【図５】
0004233127.tif 000006
【図６】
0004233127.tif 000007
【図７】
0004233127.tif 000008
【図８】
0004233127.tif 000009
【図９】
0004233127.tif 000010
【図１０】
0004233127.tif 000011
【図１１】
0004233127.tif 000012
【図１２】
0004233127.tif 000013